(57)【要約】【課題】構造を複雑化させることなく、安全かつ効率的に身体の洗浄を行うことができる実用性及び機能性に優れたポータブル衛生洗浄器を提供する。【解決手段】洗浄液が貯留される保温容器１１と、保温容器１１に取付けられたポンプ１３と、一側がポンプ１３の吐出口１３ａに接続されたシャワーホース１５と、シャワーホース１５の他側に接続されたノズル部１７を有するシャワーヘッド１６と、シャワーヘッド１６に着脱可能に取付けられ、ノズル部１７から噴射される洗浄液の飛散を防止する飛散防止カバー２６とを備え、保温容器１１には温度表示部３２が設けられ、シャワーヘッド１６にはノズル部１７の先側を照明する照明部２７が設けられている。【選択図】図１
2020062091.tif 000002
【特許請求の範囲】
【請求項１】
身体の洗浄に用いられるポータブル衛生洗浄器であって、
洗浄液が貯留される保温容器と、該保温容器に取付けられたポンプと、一側が該ポンプの吐出口に接続されたシャワーホースと、該シャワーホースの他側に接続されたノズル部を有するシャワーヘッドと、該シャワーヘッドに着脱可能に取付けられ、前記ノズル部から噴射される前記洗浄液の飛散を防止する飛散防止カバーとを備え、前記保温容器には温度表示部が設けられ、前記シャワーヘッドには前記ノズル部の先側を照明する照明部が設けられたことを特徴とするポータブル衛生洗浄器。
【請求項２】
請求項１記載のポータブル衛生洗浄器において、前記シャワーヘッドには、前記ポンプの駆動と停止を切替える作動スイッチと、該作動スイッチの誤作動を防止するための誤作動防止カバー部を備えたことを特徴とするポータブル衛生洗浄器。
【請求項３】
請求項２記載のポータブル衛生洗浄器において、前記シャワーホースの外側に装着された外側チューブを有し、前記作動スイッチの動作を前記ポンプに伝達するための電気接続線は、前記シャワーホースと並列に前記外側チューブに収納されていることを特徴とするポータブル衛生洗浄器。
【請求項４】
請求項１〜３のいずれか１記載のポータブル衛生洗浄器において、前記ノズル部から噴射される前記洗浄液の噴射流量又は噴射圧力が調整可能であることを特徴とするポータブル衛生洗浄器。
【請求項５】
請求項１〜４のいずれか１記載のポータブル衛生洗浄器において、前記ノズル部から噴射される前記洗浄液の噴射形態は、霧状、シャワー状、又は直線状に切替え可能であることを特徴とするポータブル衛生洗浄器。
【発明の詳細な説明】
【技術分野】
【０００１】
本発明は、乳幼児、要介護者、又はトイレ若しくはシャワー設備のない野外等で活動する人等の身体を洗浄して衛生的に保つことができる安価でかつ携帯が容易なポータブル衛生洗浄器に関する。
【背景技術】
【０００２】
従来、乳幼児や要介護者等の身体を母親や介護者が洗浄する際に用いられる様々な洗浄器具が提案されている。また、トイレ若しくはシャワー設備が整っていない海外を旅行する旅行者或いはこれらの設備のない野外等で活動する人が使用するための携帯型の洗浄器具も提案されている。これらの洗浄器具は、災害時の避難所等での生活でも役立つものであり、需要が高まりつつある。例えば、特許文献１には、容器内の洗浄液をノズルから噴出させる樹脂製の携帯用洗浄器が記載されている。特許文献２には、台板上に温水洗浄器、真空吸引機、脱臭器を取付け、各先端に洗浄ノズル、吸引ノズル、脱臭ラッパ管を装着したチューブ、ホースを取付けたベッド排泄介護装置が記載されている。特許文献３には、便器部と、便座と、肘掛けと、背もたれと、噴射口が形成された洗浄ノズルと、洗浄ノズルを進退させる洗浄ノズル駆動機構と、洗浄ノズルの駆動を制御する制御部と、制御部を収容する本体収容部と、制御部と無線通信手段を通じて電気的に接続され、本体収容部から分離され、使用者が手に持って操作することが可能な遠隔操作部と、を備えたポータブルトイレが記載されている。特許文献４には、液体を噴射するノズル部を首振り自在に支持し、先端側が少なくともノズル部の先端よりも前方に位置する飛散防止部を備え、該飛散防止部の先端側を被洗浄部に当接自在とした衛生洗浄器が記載されている。
【先行技術文献】
【特許文献】
【０００３】
【特許文献１】実用新案登録第３０８１８９５号公報
【特許文献２】特開２００４−１６０１１３号公報
【特許文献３】特開２０１６−１９５８３３号公報
【特許文献４】特開２００１−１０４２０８号公報
【発明の概要】
【発明が解決しようとする課題】
【０００４】
しかしながら、特許文献１の携帯用洗浄器は、洗浄液を収容した可撓性の容器を手で握って潰すようにして、洗浄液をノズルから噴出させる手動式なので、使用者（介護者）の肉体的な負担が大きく、洗浄効率が悪いという問題がある。特許文献２のベッド排泄介護装置は、大掛かりで省スペース性に欠け、搬送及び設置に手間がかかって、介護者の負担が増大し、設置場所の制約を受け易いという問題がある。特許文献３のポータブルトイレは、構造が複雑で高コストであり、設置場所が限定されると共に、乳幼児或いは寝たきりの病人や高齢者等の要介護者が使用することは困難で汎用性に欠けるという問題がある。特許文献４の衛生洗浄器は、貯水タンク内の洗浄液をヒータで加熱するため、漏電等の安全面に注意を払う必要があり、構造が複雑になり易い反面、洗浄液の温度表示機能がなく、噴射される洗浄液の流量や噴射圧力の調整ができず、機能性に欠けるという問題がある。また、特許文献１の携帯用洗浄器及び特許文献４の衛生洗浄器は、携帯又は持ち運びが可能であるが、照明を備えていないため、夜間の野外等のような暗所での作業が困難であるという問題もある。
【０００５】
本発明はかかる事情に鑑みてなされたもので、構造を複雑化させることなく、安全かつ効率的に身体の洗浄を行うことができる実用性及び機能性に優れた安価でかつ携帯が容易なポータブル衛生洗浄器を提供することを目的とする。
【課題を解決するための手段】
【０００６】
前記目的に沿う本発明に係るポータブル衛生洗浄器は、身体の洗浄に用いられるポータブル衛生洗浄器であって、
洗浄液が貯留される保温容器と、該保温容器に取付けられたポンプと、一側が該ポンプの吐出口に接続されたシャワーホースと、該シャワーホースの他側に接続されたノズル部を有するシャワーヘッドと、該シャワーヘッドに着脱可能に取付けられ、前記ノズル部から噴射される前記洗浄液の飛散を防止する飛散防止カバーとを備え、前記保温容器には温度表示部が設けられ、前記シャワーヘッドには前記ノズル部の先側を照明する照明部が設けられている。
【０００７】
本発明に係るポータブル衛生洗浄器において、前記シャワーヘッドには、前記ポンプの駆動と停止を切替える作動スイッチと、該作動スイッチの誤作動を防止するための誤作動防止カバー部を備えていることが好ましい。
【０００８】
本発明に係るポータブル衛生洗浄器において、前記シャワーホースの外側に装着された外側チューブを有し、前記作動スイッチの動作を前記ポンプに伝達するための電気接続線は、前記シャワーホースと並列に前記外側チューブに収納されていることが好ましい。
【０００９】
本発明に係るポータブル衛生洗浄器において、前記ノズル部から噴射される前記洗浄液の噴射流量又は噴射圧力が調整可能であることが好ましい。
【００１０】
本発明に係るポータブル衛生洗浄器において、前記ノズル部から噴射される前記洗浄液の噴射形態は、霧状、シャワー状、又は直線状に切替え可能であることが好ましい。
【発明の効果】
【００１１】
本発明に係るポータブル衛生洗浄器は、使用時に温度表示部で洗浄液の温度を確認し、必要に応じて洗浄液の温度を適温に調整して使用することができ、快適性及び安全性に優れる。また、飛散防止カバーで洗浄液を確実に洗浄対象箇所に案内して効率的に洗浄できると共に、跳ね返った洗浄液（汚水）が周囲に飛散することを防止することができ、使用場所の制約を受け難く、取り扱い性に優れる。飛散防止カバーは、必要に応じて、交換したり、取外して洗浄したりして清潔に保つことができる。照明部でノズル部の先側を照明する際に、飛散防止カバーで光を拡散させて周囲を照らすことができ、暗所でも洗浄対象箇所を確認しながら洗浄を行うことができ、洗浄の確実性及び操作性に優れる。
【００１２】
シャワーヘッドに、ポンプの駆動と停止を切替える作動スイッチと、作動スイッチの誤作動を防止するための誤作動防止カバー部を備えた場合、洗浄作業時にシャワーヘッドを握った手で作動スイッチを操作することにより、ポンプの駆動と停止を簡単かつ確実に切替えることができると共に、外力等によって不意にポンプが誤作動することを防止でき、操作性及び動作の確実性に優れる。
【００１３】
シャワーホースの外側に装着された外側チューブを有し、作動スイッチの動作をポンプに伝達するための電気接続線が、シャワーホースと並列に外側チューブに収納されている場合、シャワーホースと電気接続線を一体化して簡素化でき、取り扱い性に優れる。
【００１４】
ノズル部から噴射される洗浄液の噴射流量又は噴射圧力が調整可能である場合、洗浄対象箇所、汚れの種類、又は汚れ具合等に応じて、噴射流量又は噴射圧力を調整し、被洗浄者に苦痛を与えたり、洗い残しを発生させたりすることなく、確実かつ効率的に洗浄を行うことができ、省資源性にも優れる。
【００１５】
ノズル部から噴射される洗浄液の噴射形態が、霧状、シャワー状、又は直線状に切替え可能である場合、洗浄対象箇所、洗浄範囲（広さ）、汚れの種類、又は汚れ具合等に応じて、噴射形態を選択し、効率的に洗浄を行うことができる。
【図面の簡単な説明】
【００１６】
【図１】本発明の一実施の形態に係るポータブル衛生洗浄器の構成を示す説明図である。
【図２】同ポータブル衛生洗浄器のシャワーヘッドの変形例を示す説明図である。
【発明を実施するための形態】
【００１７】
続いて、添付した図面を参照して本発明を具体化した実施の形態について説明する。
図１に示す本発明の一実施の形態に係るポータブル衛生洗浄器１０は、乳幼児、要介護者、又はトイレ若しくはシャワー設備のない野外等で活動する人（避難所生活者を含む）等の身体（主に排便後の肛門等）を洗浄して衛生的に保つものである。
ポータブル衛生洗浄器１０は、洗浄液が貯留される保温容器１１を有している。保温容器１１としては、内壁と外壁の間に空気層と断熱材層（例えば、発泡スチロール、発泡ウレタン等）を有するものが好適に用いられる。保温容器１１の上面開口部は蝶番１１ａを介して回動可能に取付けられた開閉蓋１２で密閉される。洗浄液としては温水（例えば、３５〜４５℃）が好適に用いられるが、その温度は、適宜、選択することができ、夏場では常温の水又は冷水を用いることもできる。保温容器１１の内容量は、保温効果を考慮すれば、例えば最大で５Ｌ程度が好ましいが、これに限定されるもではない。
保温容器１１の内部にはポンプ１３が取付けられ、ポンプ１３の吐出口１３ａに、外側チューブ１４で覆われたシャワーホース１５の一側が接続されている（拡大図参照）。そして、シャワーホース１５の他側は、シャワーヘッド１６のノズル部１７に接続されている。
また、保温容器１１には、ポータブル衛生洗浄器１０を制御する制御ボックス１８が取付けられている。制御ボックス１８には電源コード１９と電気接続された電源スイッチ２０が設けられ、電源コード１９のプラグ（図示せず）をコンセントに差込み、電源スイッチ２０をオンにすることにより、ポータブル衛生洗浄器１０は待機状態となる。なお、ポータブル衛生洗浄器１０は商用電源に接続して電力供給を行う代わりに、バッテリーを内蔵する構造とすれば、野外等の電源のない場所での使用及び停電時の使用にも対応することができる。
【００１８】
次に、シャワーヘッド１６には、ポンプ１３の駆動と停止を切替える作動スイッチ２３が設けられている。作動スイッチ２３は、シャワーヘッド１６の握り手２２の一側部に設けられ、長手方向の一端側が握り手２２に対して回動可能に保持されている。そして、握り手２２と作動スイッチ２３との間には、作動スイッチ２３の長手方向の他端側を握り手２２から遠ざける方向に付勢する付勢バネ（圧縮バネ）２４が配置されている。ポータブル衛生洗浄器１０の使用者（被洗浄者自身又は被洗浄者の身体を洗浄する介護者）は握り手２２と一緒に作動スイッチ２３を手で握り、作動スイッチ２３の長手方向の他端側が握り手２２側に近付くように作動スイッチ２３を回動させ、付勢バネ２４を圧縮することにより、ポンプ１３を駆動してノズル部１７から洗浄液を噴射することができる。このとき、付勢バネ２４の弾性力に抗して作動スイッチ２３を操作する（回動させる）必要があるので、外部からの衝撃等でポンプ１３が誤作動する可能性を低減できる。また、作動スイッチ２３の操作面側を囲むように、握り手２２の一側部に環状の誤作動防止カバー部２５が設けられているので、作動スイッチ２３に不意に外力が加わり難く、誤作動をより確実に防ぐことができる。なお、作動スイッチとして、本実施の形態で示したレバー方式の作動スイッチの代わりに、スライド式又は押しボタン式等の作動スイッチを用いてもよい。また、別途、押しボタン式又はスライド式等のロック解除スイッチを追加し、二段階で操作する構造として誤作動を防止してもよい。ロック解除スイッチを設ける場合は、誤作動防止カバー部は、省略することもできる。
【００１９】
次に、シャワーヘッド１６の先端部には、ノズル部１７から噴射される洗浄液の飛散を防止する飛散防止カバー２６が着脱可能に取付けられている。飛散防止カバー２６の材質としてはポリエチレンテレフタレート（ＰＥＴ）、ポリスチレン（ＰＳ）、ポリプロピレン（ＰＰ）、塩化ビニル樹脂（ＰＶＣ）等の合成樹脂が好適に用いられるが、これに限定されるものではない。特に軽量で軟質性の合成樹脂は安全で好ましい。また、飛散防止カバー２６は無色透明とすることにより、洗浄中に飛散防止カバー２６を通して洗浄対象箇所を確認することができ、好ましいが、視認性を妨げない範囲で半透明若しくは有色透明としてもよい。飛散防止カバー２６の形状としては、基側がノズル部１７の外周を覆う筒状に形成され、先側に向かって拡径するお椀状（カップ状）、半球状、又は円錐状に形成されたものが好適に用いられる。このとき、飛散防止カバー２６の基側をシャワーヘッド１６に螺着することにより、飛散防止カバー２６を容易に着脱することができる。この飛散防止カバー２６により、ノズル部１７から噴射される洗浄液を確実に洗浄対象箇所に案内して効率的に洗浄できると共に、跳ね返った洗浄液（汚水）が周囲に飛散することを防止できる。特に、飛散防止カバー２６の先側の開口部を洗浄対象箇所に押し当てるようにして使用すれば、洗浄液の飛散を効果的に防止できると共に、シャワーヘッド１６の位置を固定して姿勢を安定化させることができ、被洗浄者自身で洗浄を行う場合の操作性にも優れる。
【００２０】
なお、必要に応じて、飛散防止カバー２６の先側の開口部周縁にゴム等の軟質性の緩衝部材を取付けることにより、洗浄対象箇所に押し当てても被洗浄者が痛みを感じることがなく、快適にすることができる。また、１台のポータブル衛生洗浄器１０を複数の被洗浄者が使用する場合や飛散防止カバー２６が汚れた場合は、飛散防止カバー２６のみを簡単に取外して洗浄することや、他の飛散防止カバーと交換することができ衛生的である。
このポータブル衛生洗浄器１０をベッド等で使用する場合には、ノズル部１７から噴射される洗浄液（洗浄後の汚水）を受け止めて回収するためのバケツ等を別途、用意することが好ましい。
【００２１】
また、シャワーヘッド１６の先端部には、ノズル部１７の先側を照明する照明部２７が設けられている。この照明部２７は飛散防止カバー２６の後方に配置されており、照明部２７から照射された光が飛散防止カバー２６に当たり、周囲に拡散することにより、洗浄の程度がより見易くなるという効果を有する。そして、夜間に他の照明が使えない場合でも洗浄対象箇所を照明部２７で照らして確認しながら確実に洗浄を行うことができる。照明部２７の光源２８としては、ＬＥＤが好適に用いられるがこれに限定されるものではない。また、本実施の形態では、光源２８を１つとしたが、ノズル部１７の外周に複数の光源２８を配置することもでき、光源２８の数及び配置は適宜、選択することができる。なお、照明部２７のオンオフを切替える照明スイッチ（図示せず）はシャワーヘッド１６側に設けてもよいし、制御ボックス１８側に設けてもよい。また、作動スイッチ２３によるポンプ１３の駆動と停止の切替えに連動させて、照明部２７のオンオフを切替える構造とすることもできる。
【００２２】
ノズル部１７から噴射される洗浄液の噴射形態は、霧状、シャワー状、又は直線状に切替え可能であることが好ましい。この場合、園芸用の散水ノズルと同様に、ノズル部１７の先側に取付けられたヘッド部３０を回転させて噴射形態を切替える構造としてもよいし、各種の噴射形態に対応した複数のヘッド部を交換して噴射形態を切替える構造としてもよい。また、ノズル部１７から噴射される洗浄液の噴射流量又は噴射圧力が調整可能であることが好ましい。この洗浄液の噴射流量又は噴射圧力の調整はポンプ１３の出力を調整することにより、容易に行うことができる。噴射流量（又は噴射圧力）調整スイッチ３１は制御ボックス１８に設けることが好ましいが、シャワーヘッド１６側に設けることも可能である。なお、噴射流量（又は噴射圧力）調整スイッチ３１の形態としては、ダイヤル式の他、押しボタン式又はスライド式等が挙げられるが、これらに限定されるものではなく、適宜、選択することができる。
また、制御ボックス１８の上面には、洗浄液の温度を表示する温度表示部３２が設けられており、これにより、洗浄液の温度が適温に保たれているかどうかを確認することができる。この温度表示部３２は、保温容器１１に取付けられた温度センサー３３で測定された洗浄液の温度を表示できればよく、その配置は適宜、選択することができる。例えば、制御ボックス１８の正面に配置してもよいし、保温容器１１の開閉蓋１２の上面に配置してもよい。
【００２３】
次に、前述の作動スイッチ２３でポンプ１３の駆動と停止を切替えるためには、作動スイッチ２３の動作をポンプ１３に伝達するための電気接続線が必要となる。この電気接続線は、作動スイッチ２３から電源スイッチ２０を介してポンプ１３と接続され、作動スイッチ２３がオンになった時に、ポンプ１３に電力が供給されてポンプ１３が駆動し、作動スイッチ２３がオフになった時に、ポンプ１３への電力供給が遮断されてポンプ１３が停止する。このとき、作動スイッチ２３から保温容器１１（制御ボックス１８）に至るまでの電気接続線（図示せず）を、シャワーホース１５と並列に外側チューブ１４に収納する構造とすれば、シャワーホース１５と電気接続線を一体化することができ、取り扱いを簡素化できる。このとき、保護チューブの中に電気接続線を挿通しておけば、より確実に電気接続線を保護することができ、外側チューブ１４の内部でシャワーホース１５が破損しても漏電の発生を効果的に防止することができる。また、保護チューブに内装した電気接続線をシャワーホースの内側に配置し、両者を一体化する構造としてもよい。このように、シャワーホースと電気接続線を一体化することにより、取り扱いが容易になるが、シャワーホースと電気接続線は、必ずしも一体化する必要はなく、独立させてもよい。
また、照明部２７の電力をポンプ１３と共通の商用電源（又はバッテリー）から供給する場合は、照明部２７と電源スイッチ２０との間を電気接続する必要があるが、その照明用電気接続線は、上記の電気接続線とひとまとめにして配線することができる。なお、照明部２７の電力は乾電池から供給することもでき、シャワーヘッド１６に乾電池を収容する構造とすれば、照明用電気接続線は不要となる。
【００２４】
以上のように構成されたポータブル衛生洗浄器１０の使用方法について説明する。
まず、保温容器１１の開閉蓋１２を開け、所定温度の洗浄液を保温容器１１に貯留する。開閉蓋１２を閉め、電源コード１９のプラグ（図示せず）をコンセントに差込み、電源スイッチ２０をオンにする。そして、温度表示部３２で洗浄液が所定温度であることを確認する。使用者（被洗浄者自身又は介護者）は、握り手２２を手で握り、指を作動スイッチ２３に掛けた状態で、飛散防止カバー２６の先側の開口部を洗浄対象箇所に軽く押し当てるようにしてシャワーヘッド１６の位置を固定する。指先に力を込めて作動スイッチ２３を握ると、ポンプ１３が駆動し、保温容器１１内の洗浄液がシャワーホース１５を通って圧送され、ノズル部１７の先端から噴射されて洗浄が行われる。このとき、ヘッド部３０により、ノズル部１７から噴射される洗浄液の噴射形態を切替えたり、噴射流量（又は噴射圧力）調整スイッチ３１により、洗浄液の噴射流量（又は噴射圧力）の調整を行ったりして、効率的に洗浄を行うことができる。また、暗所でポータブル衛生洗浄器１０を使用する場合は、照明部２７をオンにしてノズル部１７の先側を照明することにより、洗浄対象箇所を確認しながら確実に洗浄を行うことができる。洗浄が終わったら、電源スイッチ２０をオフにし、電源コード１９のプラグをコンセントから引き抜く。飛散防止カバー２６はシャワーヘッド１６から取外し、洗浄、乾燥を行って、次の使用に備える。
【００２５】
次に、シャワーヘッドの変形例について説明する。
図２に示すように、変形例のシャワーヘッド３５は、全体がピストル状に形成されており、握り手３６の前面側に、ポンプ１３（図１参照）の駆動と停止を切替えるトリガー状（レバー状）の作動スイッチ３７が設けられ、別途、握り手３６の側面部の上端側に、照明部２７のオンオフを切替えるスライド式の照明スイッチ３８が設けられている。作動スイッチ３７と照明スイッチ３８が別々に設けられているので、必要時のみ照明部２７をオンにすることができる。そして、作動スイッチ３７の誤作動を防止するために、作動スイッチ３７の操作面側を囲むように誤作動防止カバー部（トリガーガード）３９が設けられている。なお、外側チューブ１４とシャワーヘッド３５の基側との連結部はホースバンド４０で固定されている。また、シャワーヘッド３５の内部の通水路（図示せず）は、シャワーヘッド３５の基側に取付けられた開閉コック４１により開閉することができる。よって、ポンプ１３の停止時に開閉コック４１で通水路を閉じることにより、シャワーホース１５（図１参照）内に残った洗浄液が、ノズル部１７から自然に流出することを防止できる。なお、開閉コック４１は通水路を開閉できればよく、構造及び取付け位置は適宜、選択することができる。また、開閉コック４１の代わりに、通水路の途中に、サイフォン防止弁（逆止弁）を取付けてもよい。さらに、シャワーヘッド３５の基側上部にはリング状の引掛け具４２が設けられており、使用しない時に、壁面等に取付けられたフック等に引掛け具４２を引掛けてシャワーヘッド３５を保持することができる。なお、引掛け具４２の形状及び大きさは適宜、選択することができる。
【００２６】
以上、本発明の実施の形態を説明したが、本発明は何ら上記した実施の形態に記載の構成に限定されるものではなく、特許請求の範囲に記載されている事項の範囲内で考えられるその他の実施の形態や変形例も含むものである。
例えば、保温容器に、洗浄液を加熱するための加熱手段を設け、洗浄液を適温に保つこともできる。また、上記実施の形態では、シャワーヘッドに作動スイッチを設けたが、必ずしもシャワーヘッドに作動スイッチを設ける必要はなく、保温容器（制御ボックス）側に作動スイッチを設けてもよい。
【符号の説明】
【００２７】
１０：ポータブル衛生洗浄器、１１：保温容器、１１ａ：蝶番、１２：開閉蓋、１３：ポンプ、１３ａ：吐出口、１４：外側チューブ、１５：シャワーホース、１６：シャワーヘッド、１７：ノズル部、１８：制御ボックス、１９：電源コード、２０：電源スイッチ、２２：握り手、２３：作動スイッチ、２４：付勢バネ、２５：誤作動防止カバー部、２６：飛散防止カバー、２７：照明部、２８：光源、３０：ヘッド部、３１：噴射流量（又は噴射圧力）調整スイッチ、３２：温度表示部、３３：温度センサー、３５：シャワーヘッド、３６：握り手、３７：作動スイッチ、３８：照明スイッチ、３９：誤作動防止カバー部（トリガーガード）、４０：ホースバンド、４１：開閉コック、４２：引掛け具
【図１】
2020062091.tif 000003
【図２】
2020062091.tif 000004